(57)【要約】【課題】  建物の換気装置において、強風時の雨滴の吹き込みを抑制することを解決課題とする。【解決手段】  建物１の換気路５内に底部６ａを室内側へ向けて嵌挿される基部６と、この基部の開口端部を覆って取り付けられた導風部７と、この導風部の室外側に空洞Ｇを形成するカバー部８とからなり、基部の底部には通風口６ｂが形成され、導風部には、基部と空洞部とを連通させる導風口７ａと、導風口から基部内へ向かう空気を、この基部の周壁の下部へ向けて導き、さらに上方へ向かう流れとする導風板７ｂが設けられ、カバー部の下部には吸排気口８ａが形成され、さらに、基部内には、この基部内に流れ込む空気の流速が大きい場合に、空気によって上方へ回動させられて通風口を閉塞し、かつ、基部内の空気の流速が緩やかになった場合に、自重によって下方へ回動して通風口を開放する開閉板９が設けられている。【選択図】図３
2006194455.tif 000002
【特許請求の範囲】
【請求項１】
建物の外壁部に略水平に貫通して設けられた換気路に取り付けられて、この換気路の室外側の端部を覆う換気装置であって、前記換気路内に底部を室内側へ向けて嵌挿される有底筒状の基部と、この基部の室外側の開口端部を覆って取り付けられた導風部と、この導風部に取り付けられて、この導風部の室外側に空洞を形成する有底筒状のカバー部とからなり、前記基部の底部には、この基部と建物内部とを連通する通風口が形成され、前記導風部には、前記基部と前記空洞部とを連通させる導風口が形成されているとともに、この導風口から前記基部内へ向かう空気を、この基部の周壁の下部へ向けて導くことにより、前記基部内の空気をその下部から上方へ向かう流れとする導風板が設けられ、前記カバー部の周壁下部には、前記空洞部を外気へ連通する吸排気口が形成され、さらに、前記基部内には、この基部内に流れ込む空気の流速が大きい場合に、前記基部内の上方へ向かう空気によって上方へ回動させられて前記基部の前記通風口を閉塞し、かつ、前記基部内の空気の流速が緩やかになった場合に、自重によって下方へ回動して前記通風口を開放する開閉板が設けられていることを特徴とする換気装置。
【請求項２】
前記通風口が上下に間隔をおいて一対形成されているとともに、これらの通風口のそれぞれに対応して前記開閉板が設けられていることを特徴とする請求項１に記載の換気装置。
【発明の詳細な説明】
【技術分野】
【０００１】
本発明は、本発明は、換気装置に係わり、特に、建物の室内や屋根裏、天井、床下といった屋内空間部の空気と外気との入れ換えを行なうようにした換気装置に関するものである。
【背景技術】
【０００２】
一般に、建物においては、その外壁や基礎に、室内や屋根裏や天井あるいは床下といった屋内空間部と外部とを連通する換気路を設け、この換気路を通して屋内空間部の空気と外気との入れ換えを行なうことにより、屋内空間部内の温度や湿度の調整等を行うようにしている。
【０００３】
ところで、このような換気路を設けた場合、降雨時に雨滴が前記換気路を通して屋内に吹き込むことが考えられることから、前記換気路に、複数の遮蔽板をがらり（ルーバ）状に配設して、前述した雨滴の浸入を防止することが行われている。
【０００４】
すなわち、前述した各遮蔽板は、前記換気路の長さ方向から見て、それぞれの面が前記換気路を遮るように、かつ、相互に間隔をおいて配設されて、前記換気路の一部を屈曲させるものである。
そして、空気とともに２相流体を形成する雨滴が前記遮蔽板の設置位置に到達すると、前記２相流体中の空気の流れ方向は各遮蔽板によって急激に変更させられるが、雨滴はその慣性によって直進して前記各遮蔽板に衝突させられて２相流体から分離されるとともに、各遮蔽板によって捕捉されて屋外に落下させられ、これによって、雨滴の屋内への浸入が抑制されるようになっている（たとえば、特許文献１参照）。
【０００５】
【特許文献１】特許第３３５９８８６号公報
【発明の開示】
【発明が解決しようとする課題】
【０００６】
このような技術にによって雨滴の浸入をある程度抑制することはできるものの、たとえば台風時等の風雨の強い気象状況下においては、前述したがらり状の遮蔽板だけでは雨滴の浸入を防止できない場合がある。
【課題を解決するための手段】
【０００７】
本発明は、前述した従来において残されている課題を解決せんとしてなされたもので、請求項１に記載の換気装置は、建物の外壁部に略水平に貫通して設けられた換気路に取り付けられて、この換気路の室外側の端部を覆う換気装置であって、前記換気路内に底部を室内側へ向けて嵌挿される有底筒状の基部と、この基部の室外側の開口端部を覆って取り付けられた導風部と、この導風部に取り付けられて、この導風部の室外側に空洞を形成する有底筒状のカバー部とからなり、前記基部の底部には、この基部と建物内部とを連通する通風口が形成され、前記導風部には、前記基部と前記空洞部とを連通させる導風口が形成されているとともに、この導風口から前記基部内へ向かう空気を、この基部の周壁の下部へ向けて導くことにより、前記基部内の空気をその下部から上方へ向かう流れとする導風板が設けられ、前記カバー部の周壁下部には、前記空洞部を外気へ連通する吸排気口が形成され、さらに、前記基部内には、この基部内に流れ込む空気の流速が大きい場合に、前記基部内の上方へ向かう空気によって上方へ回動させられて前記基部の前記通風口を閉塞し、かつ、前記基部内の空気の流速が緩やかになった場合に、自重によって下方へ回動して前記通風口を開放する開閉板が設けられていることを特徴とするものである。
また、請求項２に記載の換気装置は、請求項１に記載の前記通風口が上下に間隔をおいて一対形成されているとともに、これらの通風口のそれぞれに対応して前記開閉板が設けられていることを特徴とするものである。
【発明の効果】
【０００８】
本発明の請求項１に記載の換気装置によれば、外気は、カバー部の下部に形成された吸排気口からカバー部内の空洞部へ上方へ向かって流入した後に、導風部に設けられた導風板によって導風口を介して基部内の下部壁へ向けて流れ込み、さらに、この基部内の下部壁によってこの基部内の上方へ向けて偏向させられた後に、前記基部の底部に形成された通風口を経て建物の内部空間へ流入する。
【０００９】
ここで、前記通風口に対応して設けられている開閉板は、前記基部内において上方へ偏向させられた空気流と交差するように位置させられており、このため、前記開閉板は、その面において前記空気流の圧力を受ける。
【００１０】
そして、前記基部内へ流入する空気の速度が緩やかである場合には、開閉板が空気から受ける圧力が小さく、このために、前記開閉板がその自重によって開位置に保持され、前記基部内に流入した空気は、開放状態にある開閉板と基部内壁との間の大きな隙間から通風口を経て建物内部へと流入する。
したがって、通常の気象条件においては、換気路および換気装置を介して建物の内部空間と外部との換気が円滑に行なわれる。
【００１１】
一方、前記基部内へ流入する空気の速度が速くなるにつれて、前記開閉板に作用する空気流の圧力が上昇するが、この圧力が前記開閉板の自重に打ち勝つと、前記開閉板が上方へ回動させられて、前記通風口の前方で、前記開閉板と基部内周面との間に形成されている空隙部が、前記開閉板によって閉塞される。
この結果、前記通風口が開閉板によって閉塞されることとなり、前記基部内に流入した空気が前記通風口へ流れ込むことが防止されるとともに、雨天時の強風時にあっては、空気とともに換気装置に吹き込む雨滴が前記通風口へ到達するのを開閉板によって遮られて、雨滴の建物内への浸入が防止される。
【００１２】
そして、請求項２に記載の換気装置のように、基部に設けられる通風口を上下に間隔をおいて設けるとともに、これらの通風口に対応して開閉板を一対設けることにより、前記通風口による基部の開口面積、すなわち、気流の流路面積を大きくして換気の円滑性を確保しつつ、強風時の雨滴の浸入を抑制することができる。
【発明を実施するための最良の形態】
【００１３】
以下、本発明の好適な一実施形態について、図面を参照して説明する。
図１中、符号１は本発明の一実施形態が適用された建物を示し、この建物１の外壁部を構成する妻側の外壁２や基礎３に本実施形態に係わる換気装置４が設けられ、それぞれ、天井裏や床下の換気を行なうようになっている。
【００１４】
前記換気装置４は、図３に示すように、前記外壁２や基礎３に略水平に貫通して設けられた換気路５に取り付けられてこの換気路５の室外側の端部を覆うように装着されるもので、前記換気路５内に底部６ａを室内側へ向けて嵌挿される有底筒状の基部６と、この基部６の室外側の開口端部を覆って取り付けられた導風部７と、この導風部７に取り付けられて、この導風部７の室外側に空洞Ｇを形成する有底筒状のカバー部８とからなり、前記基部６の底部６ａには、この基部６と建物１内部とを連通する通風口６ｂが形成され、前記導風部７には、前記基部６と前記空洞部Ｇとを連通させる導風口７ａが形成されているとともに、この導風口７ａから前記基部６内へ向かう空気を、この基部６の周壁の下部へ向けて導くことにより、前記基部６内の空気をその下部から上方へ向かう流れとする導風板７ｂが設けられ、前記カバー部８の周壁下部には、前記空洞部Ｇを外気へ連通する吸排気口８ａが形成され、さらに、前記基部６内には、この基部６内に流れ込む空気の流速が大きい場合に、前記基部６内の上方へ向かう空気によって上方へ回動させられて前記基部６の前記通風口６ｂを閉塞し、かつ、前記基部６内の空気の流速が緩やかになった場合に、自重によって下方へ回動して前記通風口６ｂを開放する開閉板９が設けられた基本構成となっている。
【００１５】
さらに詳述すれば、前記換気装置４は全体的にステンレス等の金属薄板をプレス成形することによって形成されており、前記基部６の周壁には、この周壁をプレス成形することによって、外方へ向かう舌片１０が、図２に破線で示すように、周方向に間隔をおいて３箇所に形成されている。
この舌片１０は、前記基部６を前記換気路５内へ挿入した際に前記換気路５の内壁に弾性的に接触させられて、その摩擦力によって前記換気装置４を前記換気路５内に保持するようになっている。
【００１６】
前記導風部７は略円盤状に形成され、前記基部６の外端部を覆うようにして溶接固定されるもので、この導風部７の導風口７ａは、図２に破線で示すように水平方向に長尺な形状となされているとともに、図２および図３に示すように、上下方向に複数平行に形成されている。
【００１７】
また、前記導風板７ｂは、前記導風口７ａの下端縁に設けられており、前記導風口７ａをプレス成形によって形成する際に、この導風口７ａが形成される部位を外方へ屈曲させることによって形成されている。
そして、各導風板７ｂは、水平面に対して所定の仰角となるように、上方へ向けて形成されており、これによって、前記空洞Ｇから導風口７ａへ向かう空気の流れを、図３に矢印（イ）で示すように、導風口７ａを通過した後に前記基部６の底部へ向かう流れとするようになっている。
【００１８】
前記カバー部８は、蓋状に形成されており、前記導風部７に、この導風部７を覆うように外嵌されて、溶接によって一体化されている。
そして、このカバー部８の下端部に、前記吸排気口８ａが穿設され、この吸排気口８ａは、前記カバー部８の全周の約４分の１の範囲に形成されている。
【００１９】
さらに、前記基部６に形成されている前記通風口６ａは、本実施形態においては、前記底部６ａの略上半分を占めるように略半円状に形成されており、この通風口６ａの下端縁（前記基部６の径方向に沿う縁）に沿い、かつ、前記底部６ａから所定間隔をおいた位置に支持軸１１が取り付けられている。
【００２０】
この支持軸１１は、本実施形態においては、図４に示すように、前記基部６の対向する両側壁を貫通して配設されているとともに、両先端部が折曲されることによって抜け止めがなされ、この支持軸１１に、前記開閉板９が取り付けられている。
【００２１】
前記開閉板９は、その一部を舌片状に打ち抜き湾曲させて形成した一対の係止片９ｃを前記支持軸１１に巻き付けることによってこの支持軸１１に取り付けられており、これらの係止片９ｃと支持軸１１との相対回動、あるいは、前記支持軸１１と基部６の周壁との相対回動によって、この支持軸１１を中心として回動可能となされている。
【００２２】
また、前記開閉板９は、前記支持軸１１との取付部分を境として、上部が開閉部９ａとなされ、また、下部が係止部９ｂとなされ、これらの開閉部９ａと係止部９ｂとは、基部６の上流側において所定の角度に折曲させられている。
そして、前記開閉部９ａが下方へ向けて回動させられた際に、前記係止部９ｂが前記基部６の底部６ａに当接して、前記開閉部９ａの下方への回動位置を規制するようになっており、このような前記開閉部９ａの下方への回動が規制された状態において、この開閉部９ａの上方に形成される空間部が所定の広さとなるように、前記開閉部９ａと係止部９ｂとの角度が設定されている。
すなわち、前記開閉部９ａの上方に形成される空間部が、通常の換気に必要な流路面積を確保できるような角度に設定されている。
【００２３】
一方、前記基部６の底部６ａで、前記係止部９ｂが当接する部位には緩衝部材１２が取り付けられており、前記係止部９ｂが当接する際の騒音の発生を抑制するようになっている。
また、前記基部６の上壁部には、前記開閉部９ａが上方へ回動させられて前記通風口６ｂを閉塞する位置へ到達した際に、この開閉部９ａの上端部が当接させられて、その上方への回動位置を規制する緩衝部材を兼ねたストッパー１３が取り付けられている。
【００２４】
ついで、このように形成された本実施形態に係わる換気装置４にあっては、外気は、カバー部８の下方の吸排気口８ａから空洞部Ｇへ流れ込んだ後に、導風部７の導風口７ａを介して基部６内に入り込むが、この基部６内に入り込む際に、その流れが導風口７ａに対応して設けられた導風板７ｂによって前記基部６内の下部へ向けられる（図３の矢印（イ）参照）。
そして、基部６内の下部へ向けて流れ込んだ空気は、基部６の下部周壁と底部６ａとによって、図３の矢印（ロ）で示すように、基部６の上方へ向けて偏向させられて、自重によって下方位置に位置させられている開閉部９ａの面に衝突する。
【００２５】
ここで、気流の速度が緩やかである場合には、この気流によって発生する開閉部９ａへの押圧力が小さいために、開閉板９は前記通風口６ｂを開放した位置に保持される。
したがって、基部６内に流入した空気は、前記開閉板９と基部６との間に形成されている空間部から通風口６ｂを経て建物内へ入り込むことによって換気が行なわれる。
【００２６】
一方、前記空気が雨滴を含んだ２相流体であった場合、前記雨滴は、前記空気の、前記空洞部Ｇ内における偏向時、導風板７ｂにおける偏向時、および、基部６の底部から上方へ向かう偏向時のそれぞれにおいて、前記カバー部８の内壁や導風板７ｂ、および、基部６の内壁等へ衝突することによって捕捉されて空気から分離される。
【００２７】
そして、分離された雨滴は、前記カバー部８の内壁や導風板７ｂを伝って下方へ落下して、前記カバー部８の下部に形成されている吸排気口８ａから外部へ排出され、また、基部６内において分離された雨滴は、この基部６の底部内壁によって室外側へ送り込まれ、前記導風部７の下部に設けられた水抜き口１４および前記吸排気口８ａを経て外部へ排出される。
したがって、空気の流れが緩やかな気象条件においては、雨天時において雨滴が建物内へ浸入することが抑制される。
【００２８】
また、台風時等、換気装置４内へ流れ込む空気の流れが急である気象条件下においては、基部６内の空気の流れも速く、これに伴って、前記開閉板９の開閉部９ａに作用する押圧力も大きくなり、前記開閉板９が、空気の押圧力によって前記開閉部９ａが上方へ押し上げられるように回動させられる。
【００２９】
この開閉板９の上方への回動は、その開閉部９ａの回動側の端部が、基部６の内壁に設けられているストッパー１４に当接するか、あるいは、係止部９ｂが基部６の底部６ａに取り付けられている緩衝部材１２に当接することによって停止される。
そして、開閉板９が上方への回動を停止させられた状態において、その開閉部９ａは、基部６のない周壁との隙間を閉塞し、かつ、前記基部６の通風口６ｂをも閉塞する。
これによって、基部６内に流れ込んだ空気が建物内へ流れ込むことが抑制される。
【００３０】
このような強風時に雨が降った場合、換気装置４内の空気の流速が早いために、空気に混在する雨滴が換気装置４の各壁によって捕捉されずに基部６の通風口６ｂへ向けて吹き込もうとする。
しかしながら、この通風口６が、前述したように開閉板９の開閉部９ａによって閉塞されていることから、前記通風口６ｂへ向かう雨滴が前記開閉部９ａによって捕捉されて基部６の下部へ落下させられ、この結果、雨滴が建物内へ浸入することが抑制される。
【００３１】
そして、基部６内へ落下させられた雨滴は、基部６の壁部に沿って室外側へ導かれ、この室外側に設けられている導風部７の水抜き口１４から外部へ排出される。
【００３２】
このように、本実施形態に係わる換気装置４においては、風の緩やかな気象条件下では建物内と外気との換気を行ないつつ雨滴の吹き込みを抑制し、かつ、風の強い気象条件下では換気を停止して雨滴の吹き込みを抑制することができる。
【００３３】
一方、図５は本発明の他の実施形態を示すものである。
この図に示す換気装置２０は、前述した実施形態における前記通風口６ｂが上下に間隔をおいて一対形成されているとともに、これらの通風口６ｂのそれぞれに対応して前記開閉板９が設けられていることを特徴とするものである。
【００３４】
このような構成とすることにより、前記通風口６ｂの開口面積を大きくして換気作用を高めることができるとともに、開閉板９の質量を小さくしてその開閉動作の応答性を高めることができる。
【００３５】
そして、このような構成とする場合、各開閉板９の作動を確実なものとするために、前記基部６の導風部７から所定距離の範囲に隔壁２１を設けて、前記基部６内に各開閉板９毎の流路を形成することが好ましい。
【図面の簡単な説明】
【００３６】
【図１】本発明の一実施形態が適用された建物の側面図である。
【図２】本発明の一実施形態を示す正面図である。
【図３】本発明の一実施形態を示すもので、図２のIII-III線に沿う矢視断面図である。
【図４】本発明の一実施形態を示すもので、図３のIV-IV線に沿う矢視断面図である。
【図５】本発明の他の実施形態を示す縦断面側面図である。
【符号の説明】
【００３７】
１  建物
２  外壁
３  基礎
４  換気装置
５  換気路
６  基部
６ａ  底部
６ｂ  通風口
７  導風部
７ａ  導風口
７ｂ  導風板
８  カバー部
８ａ  吸排気口
９  開閉板
９ａ  開閉部
９ｂ  係止部
９ｃ  係止片
１０  舌片
１１  支持軸
１２  緩衝部材
１３  ストッパー
１４  水抜き口
２０  換気装置
２１  隔壁
Ｇ  空洞
【図１】
2006194455.tif 000003
【図２】
2006194455.tif 000004
【図３】
2006194455.tif 000005
【図４】
2006194455.tif 000006
【図５】
2006194455.tif 000007